(57)【要約】      （修正有）【課題】低コストに指標部の明るさを調整できる操作パネルを提供する。【解決手段】操作パネル本体に対し複数の操作位置に移動する操作ノブと、操作ノブの背面側に配置された光源とを備え、光源と操作ノブの指標部１０との間に複数の光量調整プレート７〜９を配置し、複数の光量調整プレート７〜９の内の少なくとも１枚が、操作ノブに連動して、光源から指標部１０までの位置が遠い操作位置から近い操作位置に向かうに従って光量調整プレート７〜９の重なり枚数が増えるよう移動する。【選択図】図３
2015185424.tif 000002
【特許請求の範囲】
【請求項１】
操作パネル本体（２）と、前記操作パネル本体（２）に対して複数の操作位置に移動する操作ノブ（３）と、前記操作ノブ（３）に設けられた指標部（１０）と、前記操作ノブ（３）の背面側に配置された光源（４）とを備えた操作パネル（１）であって、
前記光源（４）と前記操作ノブ（３）の前記指標部（１０）との間に複数の光量調整プレート（７〜９）を配置し、
前記複数の光量調整プレート（７〜９）の内の少なくとも１枚が、前記操作ノブ（３）に連動して、前記光源（４）から前記指標部（１０）までの位置が遠い操作位置（ａ）から近い操作位置（ｃ）に向かうに従って前記光量調整プレート（７〜９）の重なり枚数が増えるよう移動することを特徴とする操作パネル（１）。
【請求項２】
請求項１記載の操作パネル（１）であって、
前記操作ノブ（３）に連動して移動する２枚の前記光量調整プレート（７，８）は、共に移動させる区間では、磁石（１３）の吸引力で共に移動し、
一方の前記光量調整プレート（７）のみを移動させる区間では、前記操作パネル本体（２）に設けたストッパ（１４）で他方の前記光量調整プレート（８）の移動を阻止して一方の前記光量調整プレート（７）を移動することを特徴とする操作パネル（１）。
【請求項３】
請求項１又は請求項２記載の操作パネル（１）であって、
前記操作ノブ（３）は、前記操作パネル本体（２）に対し回転によって複数の操作位置に移動し、
複数の光量調整プレート（７〜９）の１枚は、前記光源（４）から前記指標部（１０）までの位置が最も近い操作位置（ｃ）で光が透過する位置で前記操作パネル本体（２）に固定され、
他の前記光量調整プレート（７，８）は、前記操作ノブ（３）の回転に連動して変位することを特徴とする操作パネル（１）。
【発明の詳細な説明】
【技術分野】
【０００１】
本発明は、操作ノブを備えた操作パネルに関する。
【背景技術】
【０００２】
従来より、操作ノブを備えた操作パネルが提案されている（特許文献１参照）。かかる操作パネル１００は、図６に示すように、操作パネル本体１０１と、操作パネル本体１０１に対して複数の操作位置に移動する操作ノブ１１０と、操作ノブ１１０の背面側に配置された光源１２０とを備えている。
【０００３】
図７に示すように、操作パネル本体１０１は、遮光性を有する基材１０２と、この基材１０２の前面に一体に設けられ、透光性を有する合成樹脂シート１０３とから構成されている。基材１０２には、操作ノブ１１０が装着される装着孔１０４が設けられている。合成樹脂シート１０３には、操作ノブ１１０の回転軸１１１が貫通する貫通孔１０５が設けられている。合成樹脂シート１０３の貫通孔１０５の周囲には、遮光性インクを用いてドット印刷された調光部１０６が設けられている。調光部１０６は、光源１２０と操作ノブ１１０の後述する指標部１１３との間に配置されている。調光部１０６は、光源１２０から遠い部分（図８の左側部分）への光透過量が最も多く、光源１２０に近づくに従って次第に光を透過量を少なくするように形成されている。光源１２０に近い部分（図８の右側部分）では光の透過量を最も少なくなっている。
【０００４】
操作ノブ１１０は、後方に突出する回転軸１１１と、回転軸１１１と一体に形成されるつまみ部１１２とを備えている。つまみ部１１２の前面には、透光性を有し、操作ノブ１１０の操作位置を差し示す指標部１１３と、指標部１１３以外の部分を覆う遮光部１１４とが設けられている。
【０００５】
上記構成では、光源１２０から発する光が操作ノブ１１０の指標部１１３を透過するので、夜間など暗い環境下であっても指標部１１３により操作ノブ１１０の操作位置を表示することができる。そして、操作ノブ１１０の操作により光源１２０から指標部１１３までの距離が変化するが、光源１２０から指標部１１３に届く光の明るさが均一になるように調光部１０６で調整できる。これにより、操作ノブ１１０の操作時に指標部１１３の照明むらを抑制することができる。
【先行技術文献】
【特許文献】
【０００６】
【特許文献１】特開２００３−４５２７９号公報
【発明の概要】
【発明が解決しようとする課題】
【０００７】
しかしながら、前記従来例において、操作パネル本体１０１の合成樹脂シート１０３に印刷された調光部１０６で透過する光の明るさを調整するので、異なる仕様に応じて光の明るさを変更する場合、合成樹脂シート１０３の全体を交換する必要があり、コスト高になるという問題がある。
【０００８】
そこで、本発明は、前記した課題を解決すべくなされたものであり、低コストに指標部の明るさを調整できる操作パネルを提供することを目的とする。
【課題を解決するための手段】
【０００９】
本発明は、操作パネル本体と、前記操作パネル本体に対して複数の操作位置に移動する操作ノブと、前記操作ノブに設けられた指標部と、前記操作ノブの背面側に配置された光源とを備えた操作パネルであって、前記光源と前記操作ノブの前記指標部との間に複数の光量調整プレートを配置し、前記複数の光量調整プレートの内の少なくとも１枚が、前記操作ノブに連動して、前記光源から前記指標部までの位置が遠い操作位置から近い操作位置に向かうに従って前記光量調整プレートの重なり枚数が増えるよう移動することを特徴とする。
【００１０】
前記操作ノブに連動して移動する２枚の前記光量調整プレートは、共に移動させる区間では、磁石の吸引力で共に移動し、一方のみの前記光量調整プレートを移動させる区間では、前記操作パネル本体に設けたストッパで他方の前記光量調整プレートの移動を阻止して一方の前記光量調整プレートを移動するものを含む。
【００１１】
前記操作ノブは、前記操作パネル本体に対し回転によって複数の操作位置に移動し、複数のプレートの内の１枚は、前記光源から前記指標部までの位置が最も近い操作位置で光が透過する位置で前記操作パネル本体に固定され、他の前記光量調整プレートは、前記操作ノブの回転に連動して変位するものを含む。
【発明の効果】
【００１２】
本発明によれば、操作ノブを光源から操作ノブの指標部までの位置が遠い操作位置から近い操作位置へ操作すると、複数の光量調整プレートの内の少なくとも１枚が移動し、光量調整プレートの重なり枚数が増えるので、光源と操作ノブの指標部との間に配置される光量調整プレートは光を透過しくくなる。これにより、操作ノブの操作により光源から指標部までの距離が変化するが、光源から指標部に届く光の明るさが均一になるようにできるので、操作ノブの操作時に指標部の照明むらを抑制することができる。そして、明るさを調整するには、光量調整プレートの限定的な部品交換のみで操作ノブの指標部を透過する光の明るさを調整できるため、低コストに指標部の明るさを調整できる。
【図面の簡単な説明】
【００１３】
【図１】本発明の一実施形態を示し、操作パネルの正面図である。
【図２】本発明の一実施形態を示し、操作パネルの要部正面図である。
【図３】本発明の一実施形態を示し、操作ノブの断面図である。
【図４】本発明の一実施形態を示し、（Ａ）は第１光量調整プレートの平面図、（Ｂ）は第２光量調整プレートの平面図、（Ｃ）は第３光量調整プレートの平面図である。
【図５】本発明の一実施形態を示し、（Ａ）は操作ノブの指標部が光源から遠い操作位置に移動したときの第１〜第３光量調整プレートの動作説明図、（Ｂ）は操作ノブの指標部が光源から中間の操作位置に移動したときの第１〜第３光量調整プレートの動作説明図、（Ｃ）は操作ノブの指標部が光源から近い操作位置に移動したときの第１〜第３光量調整プレートの動作説明図である。
【図６】一従来例を示し、操作パネルの正面図である。
【図７】一従来例を示し、図６のＡ−Ａ線に沿う断面図である。
【図８】一従来例を示し、調光部を有する操作パネル本体の正面図である。
【発明を実施するための形態】
【００１４】
以下、本発明の実施形態を図面に基づいて説明する。
【００１５】
図１〜図５は本発明の一実施形態を示す。図１に示すように、操作パネル１は、操作パネル本体２と、操作パネル本体２に対して複数の操作位置に移動する操作ノブ３と、操作ノブ３の背面側に配置された光源４とを備えている。
【００１６】
図２及び図３に示すように、操作ノブ３は、内側に突出する回転軸５と、回転軸５と一体に形成されるつまみ部６と、つまみ部６の背面側に配置された３枚の光量調整プレート７〜９とを備えている。つまみ部６の前面には、透光性を有し、操作ノブ３の操作位置を差し示す指標部１０と、指標部１０以外の部分を覆う光量調整部１１とが設けられている。光源４から発する光は、操作ノブ３の指標部１０を透過するので、夜間など暗い状態であっても指標部１０により操作ノブ３の操作位置を表示することができる。
【００１７】
各光量調整プレート７〜９は、扇形の遮光材料から形成され（図４参照）、透過する光の一部を遮ることができる。各光量調整プレート７〜９は、回転軸５により回転移動可能に支持されている。各光量調整プレート７〜９のかなめ部には、回転軸５が貫通する貫通孔７ａ〜９ａが設けられている。
【００１８】
光量調整プレート７〜９の内の第１光量調整プレート７は、ロッド１２を介してつまみ部６と連結され、操作ノブ３の回転に連動して変位する。第１光量調整プレート７と第２光量調整プレート８には、互いに吸引する一対の磁石１３が設けられている。
【００１９】
第３光量調整プレート９は、光源４から指標部１０までの位置が最も近い操作位置ｃで光が透過する位置に配置され、操作パネル本体２に固定されている。
【００２０】
上記構成では、図５（Ａ）に示すように、操作ノブ３の指標部１０を光源４から遠い操作位置ａに移動すると、つまみ部６と連結された第１光量調整プレート７のみが光源４と操作ノブ３の指標部１０との間に配置され、光源４からの光透過量が最も多い。
【００２１】
次に、操作ノブ３のつまみ部６を把持して指標部１０を中間の操作位置ｂに回動操作すると、つまみ部６と連結された第１光量調整プレート７が移動する。その結果、図５（Ｂ）に示すように、第１光量調整プレート７と第２光量調整プレート８が重なり合うので、光源４からの光透過量が操作位置ａより少なくなる。
【００２２】
次に、指標部１０を光源４から近い操作位置ｃに回転操作すると、つまみ部６と連結された第１光量調整プレート７が移動すると共に、隣り合う一対の磁石１３の吸引力で第２光量調整プレート８が連動する。その結果、図５（Ｃ）に示すように、３枚の光量調整プレート７〜９が重なり合うので、光源４からの光透過量が最も少なくなる。
【００２３】
次に、操作ノブ３のつまみ部６を把持して指標部１０を操作位置ｃから中間の操作位置ｂに回動操作すると、つまみ部６と連結された第１光量調整プレート７が移動すると共に、隣り合う一対の磁石１３の吸引力で第２光量調整プレート８が連動して移動する。
【００２４】
次に、操作ノブ３のつまみ部６を把持して指標部１０を操作位置ｂから操作位置ａに回動操作すると、第２光量調整プレート８がストッパ１４で移動が阻止され、第１光量調整プレート７のみが移動する。
【００２５】
以上説明したように、本実施形態にあっては、操作ノブ３の操作により光源４から操作ノブ３の指標部１０までの距離が変化するが、光源４と操作ノブ３の指標部１０との間に配置される光量調整プレート７〜９の重なり枚数を増減することにより、操作ノブ３の指標部１０を透過する光の明るさを均一にすることができる。従って、３枚の光量調整プレート７〜９にて構成されているので、明るさを調整するには、光量調整プレート７〜９の限定的な部品交換のみで操作ノブ３の指標部１０を透過する光の明るさを調整できるため、低コストに指標部１０の明るさを調整できる。
【００２６】
なお、上記実施形態では、３枚の光量調整プレート７〜９を設けたが、本発明はこれに限定されず、２枚の光量調整プレート、又は４枚以上の光量調整プレートを設けることもできる。例えば、４枚以上の光量調整プレートを設けた場合には、操作ノブの指標部の照明むらをよりきめ細かく調整できる。
【００２７】
又、上記実施形態では、第１光量調整プレート７を扇形の遮光材料から形成したが、図２に示すように、第１光量調整プレート７の円弧状端部７ｂよりつまみ部６に沿って突出する突出部７ｃを設け、光源４からの光を突出部７ｃで受けて操作ノブ３の指標部１０を透過する光の明るさを向上させることができる。
【符号の説明】
【００２８】
１  操作パネル
２  操作パネル本体
３  操作ノブ
４  光源
７〜９  光量調整プレート
１０  指標部
１３  磁石
１４  ストッパ
【図１】
2015185424.tif 000003
【図２】
2015185424.tif 000004
【図３】
2015185424.tif 000005
【図４】
2015185424.tif 000006
【図５】
2015185424.tif 000007
【図６】
2015185424.tif 000008
【図７】
2015185424.tif 000009
【図８】
2015185424.tif 000010